(57)【要約】      （修正有）【課題】印刷された文字、図形、又は写真を着脱自在とする政治用広告シートを提供する。【解決手段】ベースシート上へ、文字、図形又は写真、その他の表示を設けた短冊複数枚を着脱自在に貼着した。【選択図】図１
0003155118.tif 000002
【実用新案登録請求の範囲】
【請求項１】
ベースシート上へ、文字、図形又は写真、その他の表示を設けた短冊複数枚を着脱自在に貼着したことを特徴とする政治用室内広告シート。
【請求項２】
ベースシート上へ、文字、図形又は写真、その他の表示を設けた短冊複数枚を着脱自在に貼着し、各短冊に夫々室内用の表示をしたことを特徴とする政治用室内広告シート。
【請求項３】
ベースシートの一部へ候補者の写真を印刷し、他部へ文字、図形、その他のイラストを記載した短冊を複数枚着脱自在に貼着し、各短冊に夫々室内用の表示をしたことを特徴とする政治用室内広告シート。
【請求項４】
ベースシート上へ、文字、図形又は写真、その他の表示を設けた短冊数枚以上を近接並列して着脱自在に貼着したことを特徴とする政治用室内広告シート。
【考案の詳細な説明】
【技術分野】
【０００１】
この考案は、選挙の政治活動の際に使用する室内広告（例えば壁面に貼着する為の広告）を目的とした政治用室内広告シートに関するものである。
【背景技術】
【０００２】
従来政治用室内広告としては、候補者名、所属党名、党公約、その他を文字、図形、写真等を印刷して使用している。例えば政治用ポスターとして室外に貼着又は配布している。前記と同様の内容又は多少異なる内容の室内用印刷物も使用されている。
【先行技術文献】
【特許文献】
【０００３】
【特許文献１】実用新案登録第３１４５９３９号公報
【特許文献２】実用新案登録第３１４５７６６号公報
【考案の概要】
【考案が解決しようとする課題】
【０００４】
従来知られている各種ポスター（政治用ポスターを含む）は、ベース紙上に、文字、図形又は写真等を印刷したものであって（引用文献１，２）、一旦印刷すると、位置の変更ができないことは勿論、部分的に取り除くこともできないという問題点があった。従って内容を変更できるのは、唯一新しく印刷する手段しか残っていなかった。例えば図４のように、候補者の写真２０，文字１９、党名１８又は室内広告表示１７が印刷してあった。
【０００５】
また前記ポスターは、一旦印刷すると、外形は勿論、内容も不変となるので、内容の異なるポスターを希望する場合には、予め必要種類だけ印刷し、使用の際に前記の中より選定する方法しか良い方法がなかった。従って多量の各種ポスターを用意しなければならない等の諸問題があった。
【課題を解決するための手段】
【０００６】
この考案は、ベース紙の表面に、剥離層（例えばシリコン樹脂製）を設け、該剥離層に一定の思想を表現する文字、図形、写真を貼着したものであって、この文字等は短冊状に取り外すことができるようになっている。従って、通常は印刷した場合のままであるが、一部取り外しを希望する場合には、短冊状に取り外すことができる。従ってポスターの模様替えができるのみならず、取り外した短冊を他物（例えば携帯電話又はバッグなど）に貼着することができる。
【０００７】
即ちこの考案は、ベースシート上へ、文字、図形又は写真、その他の表示を設けた短冊複数枚を着脱自在に貼着したことを特徴とする政治用室内広告シートであり、ベースシート上へ、文字、図形又は写真、その他の表示を設けた短冊複数枚を着脱自在に貼着し、各短冊に夫々室内用の表示をしたことを特徴とする政治用室内広告シートである。またベースシートの一部へ候補者の写真を印刷し、他部へ文字、図形、その他のイラストを記載した短冊を複数枚着脱自在に貼着し、各短冊に夫々室内用の表示をしたことを特徴とする政治用室内広告シートであり、ベースシート上へ、文字、図形又は写真、その他の表示を設けた短冊数枚を着脱自在に貼着したことを特徴とする政治用室内広告シートである。
【０００８】
前記のようにこの考案は、氏名、フレーズに一短冊に収めるようにしたもので、１紙面に複数の短冊を有し、かつその短冊を自在に組み合わせることができるので、当初の印刷とは全く別異のポスターとすることができる。
【０００９】
また短冊に候補者名、キャッチフレーズ、公約などを記載し、夫々別々のベース紙に集合して貼着しておけば、例えば公約のみを取り外して他物に貼着することもできる。前記短冊は必ずしも矩形でなくてもよい。一般に細長い紙片となる。
【００１０】
次に従来の室内用ポスターは、４００ｍｍ×３００ｍｍ又は４５０ｍｍ×３００など各種大きさが使用されているが、１枚に多数記載の為、この考案の場合には例えば、１６０ｍｍ×１１０ｍｍ又は１００ｍｍ×７０ｍｍなどの小版も考えられる。即ち、従来の室内用ポスターは、一旦壁等へ貼着すると、選挙終了日まで動かさないのが普通であるから大版にして色々記載するが、この考案の場合には、各短冊毎に取り外して他物（例えばバッグ）へ貼着するので、自ら使用方法も異なる。また室内に貼着された場合には、当該部屋に入った人だけ見ることになるが、個人所有の携帯電話又はバッグに貼着することもできる。また室内においても、分離貼着により注目度を向上させることができる。
【考案の効果】
【００１１】
この考案によれば、政治用室内広告シートの一部を短冊状に剥がして、他物（室内の壁、携帯電話、バッグなど）へ貼着できるので、利便性に優れている。
【００１２】
またこの考案によれば、短冊が単位であるから、政治用シートの印刷内容の変更ができるこうかがある。
【００１３】
更に大版シート１０００枚印刷した場合には、１０００個所へ貼着できるのみであるが、この考案のシートの場合には、小版シートであっても、３〜６短冊を設ければ、３０００枚又は６０００枚の広告効果を期待することができる効果がある。
【００１４】
一般に認識の良否は、注意力と、接触回数によるけれども、接触回数が多くなるにつれて認識度を向上させることができる。
【図面の簡単な説明】
【００１５】
【図１】（ａ）この考案の実施例の一部を剥がした平面図、（ｂ）同じく一部断面拡大図。
【図２】同じく他の実施例の一部を剥がした平面図。
【図３】（ａ）同じく短冊を携帯電話機に貼着した斜視図、（ｂ）同じくバッグに使用した斜視図。
【図４】従来使用された広告シートの平面図。
【考案を実施するための形態】
【００１６】
この考案は、ベース紙上へ、剥離層を設け、剥離層の内面へ文字、図形又は写真を印刷した短冊を貼着して、この考案の政治用室内広告シートを構成した。前記における文字は、例えば政党名、候補者氏名、キャッチフレーズ（例えば経済は何々とか）、その他国民に訴えたい事項である。また写真は、候補者、党名その他知名度を向上できる人物の写真とする。
【実施例１】
【００１７】
この考案の実施例を図１に基づいて説明すると、強靱なベースシート１の上面へ、剥離層（例えばシリコン樹脂層）２を設け、剥離層２上へ文字４を記載した短冊５を、接着層６を介して貼着したもので、図中３はシートの説明文字、７は室内用の表示であって、この考案の政治用室内広告シート１０を完成した。
【００１８】
前記における短冊５は、一隅５ａを矢示８のように持ち上げることによって簡単に剥がすことができる。また短冊５の裏面には、接着層６（例えば合成樹脂接着塗布）が設けてあるので、他物へ容易に貼着することができる。例えば携帯電話機１１の蓋部又は裏面へ貼着し、又はバッグ１２の表面又は側面へ添着することができる。
【００１９】
前記図１（ｃ）は、一般広告シートの文字部分を短冊化したものである。前記の他に、ベースシート１上へ同一文字を記載した長短冊１３と、短短冊１４を並列設置した政治用室内広告シート１５である。この場合においても、同一文字が記載してるので、強調したい文字（キャッチフレーズ）を必要な場所へ貼着する場合に、矢示１６のように剥がして貼着することができる。
【符号の説明】
【００２０】
１  ベースシート
２  剥離層
３  説明文
４  文字
５  短冊
１０  政治用室内広告シート
１１  携帯電話機
１２  バッグ
【図１】
0003155118.tif 000003
【図２】
0003155118.tif 000004
【図３】
0003155118.tif 000005
【図４】
0003155118.tif 000006